(57)【要約】【課題】開閉モータを使用することなく、安価なものとしつつ、使用勝手の良好な空調換気扇を提供すること。【解決手段】シャッター組立体１６は給気開口部１７ａと排気開口部１７ｂが形成され上部に直角に折曲したレール１７ｅが形成されると共に下部の中央部において回動可能な支軸１７ｃにＥリング２１により固定された歯車１７ｄを備えたベース体１７と、下部を前方に直角に折曲して形成した前記歯車１７ｄが上方から歯合するラック部１９ａを備え前記レール１７ｅに案内されると共に空調換気扇１の正面から見て右下端部に操作摘み１９ｂを備え前記ベース体１７の給気開口部１７ａを開閉する給気シャッター１９と、下部に前記歯車１７ｄに上方から歯合するラック部２０ａを備え前記ベース体１７の排気開口部１７ｂを開閉する排気シャッター２０とを備える。【選択図】図４
2007187349.tif 000002
【特許請求の範囲】
【請求項１】
室内側に開口する箱体状を呈しその内部に室内と室外とを連通する排気通路及び給気通路を通る気流間で熱交換する熱交換素子体を備えた本体と、前記排気通路内に配設される排気ファン及び前記給気通路内に配設される給気ファンと、これら排気ファン及び給気ファンを駆動する駆動モータとを備えた空調換気扇において、前記給気通路に連通する給気用開口部及び前記排気通路に連通する排気用開口部が開設されると共に下部に歯車を備えて前記本体後部に配設されるベース体と、下部に前記歯車に歯合するラック部を備えて前記給気用開口部を移動により開又は閉にする給気用シャッターと、下部に前記歯車に歯合するラック部を備えて前記排気用開口部を移動により開又は閉にする排気用シャッターとを設け、前記給気用シャッターのラック部又は排気用シャッターのラック部の一方が前記歯車に上方から又は下方から歯合すると共に他方が下方から又は上方から歯合することを特徴とする空調換気扇。
【請求項２】
前記給気用シャッター又は排気用シャッターのいずれかに両シャッターを移動させるための前記本体より外方へ突出した操作部を設けたことを特徴とする請求項１に記載の空調換気扇。
【発明の詳細な説明】
【技術分野】
【０００１】
本発明は、室内の汚れた空気を室外に排出すると共に室外の新鮮空気を室内に吸い込み、この際に外気と室内空気との間で熱交換を行わせて冷暖房のエネルギーロスを低減するようにした空調換気扇に関する。詳述すれば、室内側に開口する箱体状を呈しその内部に室内と室外とを連通する排気通路及び給気通路を通る気流間で熱交換する熱交換素子体を備えた本体と、前記排気通路内に配設される排気ファン及び前記給気通路内に配設される給気ファンと、これら排気ファン及び給気ファンを駆動する駆動モータと、前記本体後部に形成された給気用開口部を開又は閉にする給気用シャッターと、前記本体後部に形成された排気用開口部を開又は閉にする排気用シャッターとを備えた空調換気扇に関する。
【背景技術】
【０００２】
昨今、温度差のある室内空気と外気とを、混ざらないように交差させて熱交換する空調換気扇の需要が増えつつあり、この種の空調換気扇は、特許文献１などに開示されている。また、特許文献２には、運転時には室外吸込口及び室外吐出口を開閉するシャッターに形成したラック部に歯合する歯車を有した開閉モータで前記シャッターを開位置に移動するように設け、運転停止時にはシャッターをシャッタースプリングにより閉位置に移動するように構成する技術が開示されている。
【特許文献１】特開２００３−１４２７７号公報
【特許文献２】特開平７−１９０４５１号公報
【発明の開示】
【発明が解決しようとする課題】
【０００３】
しかし、特許文献２に記載の技術のように、運転時には開閉モータでシャッターを開位置に移動するように設け、運転停止時にはシャッターをスプリングにより閉位置に移動するような構成によれば、開閉モータを使用するので高価であって、構造も複雑なものとなる。
【０００４】
そこで本発明は、開閉モータを使用することなく、安価なものとしつつ、使用勝手の良好な空調換気扇を提供することを目的とする。
【課題を解決するための手段】
【０００５】
このため第１の発明は、室内側に開口する箱体状を呈しその内部に室内と室外とを連通する排気通路及び給気通路を通る気流間で熱交換する熱交換素子体を備えた本体と、前記排気通路内に配設される排気ファン及び前記給気通路内に配設される給気ファンと、これら排気ファン及び給気ファンを駆動する駆動モータとを備えた空調換気扇において、前記給気通路に連通する給気用開口部及び前記排気通路に連通する排気用開口部が開設されると共に下部に歯車を備えて前記本体後部に配設されるベース体と、下部に前記歯車に歯合するラック部を備えて前記給気用開口部を移動により開又は閉にする給気用シャッターと、下部に前記歯車に歯合するラック部を備えて前記排気用開口部を移動により開又は閉にする排気用シャッターとを設け、前記給気用シャッターのラック部又は排気用シャッターのラック部の一方が前記歯車に上方から又は下方から歯合すると共に他方が下方から又は上方から歯合することを特徴とする。
【０００６】
第２の発明は、第１の空調換気扇に係る発明において、前記給気用シャッター又は排気用シャッターのいずれかに両シャッターを移動させるための前記本体より外方へ突出した操作部を設けたことを特徴とする。
【発明の効果】
【０００７】
本発明は、開閉モータを使用することなく、安価なものとしつつ、使用勝手の良好な空調換気扇を提供することができる。
【発明を実施するための最良の形態】
【０００８】
本発明の実施の形態を図面を参照して、以下説明する。図１は空調換気扇の斜視図、図２は空調換気扇の排気通路と給気通路を示す概略横断平面図である。
【０００９】
図１において、１は室壁ＳＨに固定される空調換気扇で、室内の汚れた空気を室外に排出すると共に室外の新鮮空気を室内に吸い込み、この際に外気と室内空気との間で熱交換を行わせて冷暖房のエネルギーロスを低減するように構成される。この空調換気扇１は、仕切板２ｃを有しこの仕切板２ｃに給気開口部２ａ及び排気開口部２ｂが形成された本体フレーム２と、前面グリル３と、前側に２つの開口部４ａ、４ｂを有して前記前面グリル３に着脱可能に設けられる前面パネル４とを備えている。
【００１０】
図２において、空調換気扇１の本体内には、室壁ＳＨに設けられた２つの貫通孔６ａ、６ｂ及び本体フレーム２に固定された外カバー５に形成された給気開口部５ａ、排気開口部５ｂと、前面パネル４の開口部４ａ、４ｂとをそれぞれ交差して連通する排気通路７及び給気通路８が区画形成されている。この交差部１２は本体内の左部に位置し、この交差部１２には熱交換素子組立体１３が配設されている。
【００１１】
図３、図４及び図５において、シャッター組立体１６について説明すると、このシャッター組立体１６は給気開口部１７ａと排気開口部１７ｂが形成され上部に直角に折曲したレール１７ｅが形成されると共に下部の中央部において回動可能な支軸１７ｃにＥリング２１により固定された歯車１７ｄを備えたベース体１７と、下部を前方に直角に折曲して形成した前記歯車１７ｄが上方から歯合するラック部１９ａを備え前記レール１７ｅに案内されると共に空調換気扇１の正面から見て右下端部に操作摘み１９ｂを備え前記ベース体１７の給気開口部１７ａを開閉する給気シャッター１９と、下部に前記歯車１７ｄに上方から歯合するラック部２０ａを備え前記ベース体１７の排気開口部１７ｂを開閉する排気シャッター２０とを備える。
【００１２】
なお、前記ベース体１７の後方に排気シャッター２０が、前方に給気シャッター１９が配設されるが、これは前後方逆に配設してもよく、また給気シャッター１９に操作摘み１９ｂを設けたが、排気シャッター２０に設けてもよい。更には、前記歯車１７ｄに上方から排気シャッター２０のラック部２０ａが歯合すると共に下方から給気シャッター１９のラック部１９ａが歯合する構成にしたが、これとは逆に、前記歯車１７ｄに上方から給気シャッター１９のラック部が歯合すると共に下方から排気シャッター２０のラック部が歯合するように、各ラック部を形成した構成にしてもよい。
【００１３】
そして、前記本体フレーム２の最後部に配設される前記外カバー５とベース体１７とで前記排気シャッター２０の脱落を防止する。また、図６及び図７に示すように、前記本体フレーム２の仕切板２ｃの給気開口部２ａの外方に給気ファン２２を収納する給気ファンケース２３を配置すると共に、この給気ファンケース２３の前方に駆動モータ２５を固定すると共に排気ファン２６を収納する排気ファンケース２７を配置し、この排気ファンケース２７内に室内空気を導入する導入口２８ａが開設されたカバー２８で排気ファンケース２７の前面開口部を閉塞する（図１３、図１４参照）。
【００１４】
即ち、給気ファンケース２３と排気ファンケース２７との間には、前後方向に回転軸を有する駆動モータ２５が配置され、この駆動モータ２５の回転軸の後部に給気ファン２２が、また前部に排気ファン２６が取り付けられている。
【００１５】
図８乃至図１１において、前記熱交換素子組立体１３は、内部に交互に交差させて積み重ねた複数の素子を有し、２つの素子通風路が形成されている。一方の方向の素子通風路が排気通路７に、他方の方向の素子通風路が給気通路８にそれぞれ連通され、これらの素子通風路を通過する空気間で熱交換を行う。
【００１６】
この熱交換素子組立体１３は、熱交換素子３０と、この熱交換素子３０を収納する素子収納枠３１とを備えている。前記素子収納枠３１は、熱交換素子３０の熱交換に影響を与えない菱形形状の側部が嵌合する内向きのフランジ（嵌合片）３２が形成された上下一対の収納板枠３１Ａ、３１Ａと、この収納板枠３１Ａ、３１Ａ相互を連結するためのもので断面がくの字形状を呈して熱交換素子３０の４つの角部のうちの２つの角部を挟むように連結する連結枠３１Ｂ、３１Ｂとから構成される。
【００１７】
詳述すると、前記収納板枠３１Ａ、３１Ａの遠い対向する部位には嵌合孔３３、３３が設けられ、前記連結枠３１Ｂ、３１Ｂの両端部には前記嵌合孔３３、３３に嵌合して係止する係止体３５が設けられている。即ち、図９及び図１０に示すように、係止体３５には前記嵌合孔３３、３３に嵌合すると互いに遠ざかるように付勢されて嵌合孔３３、３３の開口縁部に係止する抜止部３４が外方へ突設されており、嵌合後は抜けが防止される。
【００１８】
また、前記収納板枠３１Ａ、３１Ａの外面には長い対角線上に固定用のフランジ３６が形成され、この各フランジ３６には角孔３７が開設されている（図８、図１２参照）。一方、前記本体フレーム２には上下左右に４つの係止体３９が設けられ、この係止体３９には各フランジ３６に接着されたゴムパッキングなどの緩衝体３８を介して嵌合した角孔３７、３７の開口縁部に係止する抜止部４０が設けられており、嵌合後は抜けが防止される。
【００１９】
従って、熱交換素子３０を上下一対の収納板枠３１Ａ、３１Ａ間に挟むように内向きのフランジ３２内に納めた上で、連結枠３１Ｂ、３１Ｂの係止体３５、３５を手で狭めるようにした状態で嵌合孔３３、３３に嵌合させ、手を離すと広がるような付勢力を有する係止体３５、３５が離れて各抜止部３４が嵌合孔３３、３３の開口縁部に係止して、嵌合後は抜けが防止されて、この収納板枠３１Ａ、３１Ａ相互を連結枠３１Ｂ、３１Ｂで連結することにより熱交換素子組立体１３が取り付けのためのビス等を使用することなく組み立てられる。このように、熱交換素子３０は収納板枠３１Ａ、３１Ａと連結枠３１Ｂ、３１Ｂとで両側面と２つの角部が固定される。
【００２０】
そして、この組み立てられた熱交換素子組立体１３を前記本体フレーム２に設けられた係止体３９を角孔３７、３７にその開口縁部に抜止部４０が当接しても押し込むようにして嵌合させることにより、角孔３７、３７の開口縁部に抜止部４０が係止して（図１３参照）、嵌合後は抜けが防止されて、熱交換素子組立体１３が取り付けのためのビス等を使用することなく本体フレーム２に取り付られる。
【００２１】
なお、熱交換素子組立体１３のメンテナンスサービスの際には、前記抜止部４０と角孔３７、３７の開口縁部との係止を解除すべく、係止解除方向に係止体３９を移動させた後、係止体３９を押し込むようにして熱交換素子組立体１３を前方へ引きながら、係止体３９と角孔３７、３７との嵌合を解き、本体フレーム２から熱交換素子組立体１３を取り外すことができる。
【００２２】
更には、連結枠３１Ｂ、３１Ｂの係止体３５、３５を手で狭めるようにして抜止部３４の嵌合孔３３、３３の開口縁部への係止を解除して、嵌合孔３３、３３から係止体３５、３５を抜くことにより、熱交換素子３０から収納板枠３１Ａ、３１Ａを取り外すことができる。
【００２３】
そして、以上のように構成された本体フレーム２に前面パネル４が着脱可能に設けられた前面グリル３を取り付けることにより、空調換気扇１が組み立てられる。
【００２４】
そして、空調換気扇１の前方から見て、給気シャッター１９に設けられて本体フレーム２より下方に突出した操作摘み１９ｂを最左部に位置せしめているときには、給気シャッター１９は最左部にあって排気シャッター２０は最右部にあって、シャッター組立体１６の給気開口部１７ａ及び排気開口部１７ｂは全開状態となっている。この場合、駆動モータ２５が運転して給気ファン２２及び排気ファン２６が回転すると、室壁ＳＨに開設された給気用の貫通孔６ａ、外カバー５の給気開口部５ａ、ベース体１７の給気開口部１７ａ、本体フレーム２の仕切板２ｃの給気開口部２ａを経る給気通路８を介して前面パネル４の開口部４ａより室外の新鮮空気を室内に吸い込んで供給すると共に、前面パネル４の開口部４ｂ、仕切板２ｃの排気開口部２ｂ、ベース体１７の排気開口部１７ｂ、外カバー５の排気開口部５ｂを経る排気通路７を介して室壁ＳＨに開設された排気用の貫通孔６ｂより室内の汚れた空気を室外に排出し、この際に排気通路７と給気通路８の交差部１２に配設された熱交換素子組立体１３により外気と室内空気との間で熱交換をして、冷暖房のエネルギーロスを低減する。
【００２５】
そして、操作摘み１９ｂを右方に移動させると、給気シャッター１９のラック部１９ａが歯車１７ｄを回転させながら該給気シャッター１９がレール１７ｅに案内されて外カバー５とベース体１７との間で右方に移動し、排気シャッター２０は歯車１７ｄの回転によりラック部２０ａを介してベース体１７と仕切板２ｃとの間で逆の左方へ移動することとなる。
【００２６】
従って、給気開口部１７ａを給気シャッター１９が、また排気シャッター２０が排気開口部１７ｂを移動に伴い、徐々に閉めることなる。そして、操作摘み１９ｂを最右方に位置させると、全閉状態となる。
【００２７】
以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【図面の簡単な説明】
【００２８】
【図１】空調換気扇の斜視図である。
【図２】空調換気扇の排気通路と給気通路を示す概略横断平面図である。
【図３】外カバー、ベース本体及び本体フレームの分解裏面図である。
【図４】ベース本体の分解裏面図である。
【図５】ベース本体下部の斜視図である。
【図６】本体フレーム及び係止体の拡大図である。
【図７】給気ファン、排気ファンケース、駆動モータ及びカバーの分解斜視図である。
【図８】熱交換素子体の分解斜視図である。
【図９】収納枠体と連結枠との連結前の状態を示す斜視図である。
【図１０】収納枠体と連結枠とが連結した状態を示す斜視図である。
【図１１】熱交換素子体の斜視図である。
【図１２】熱交換素子体の斜視図及び円で囲まれた部分の拡大図である。
【図１３】熱交換素子体が本体フレームに取付けられた状態の斜視図及び円で囲まれた部分の拡大図である。
【図１４】前面パネルを外した状態の空調換気扇の斜視図である。
【符号の説明】
【００２９】
１            空調換気扇
２            本体フレーム
３            前面グリル
４            前面パネル
７            排気通路
８            給気通路
１２          交差部
１３          熱交換素子体
１６          シャッター組立体
１７          ベース体
１７ａ        給気開口部
１７ｂ        排気開口部
１７ｄ        歯車
１８ａ        ラック部
１９          給気シャッター
１９ｂ        操作摘み
２０          排気シャッター
２０ａ        ラック部
２２          給気ファン
２５          駆動モータ
２６          排気ファン
３０          熱交換素子
【図１】
2007187349.tif 000003
【図２】
2007187349.tif 000004
【図３】
2007187349.tif 000005
【図４】
2007187349.tif 000006
【図５】
2007187349.tif 000007
【図６】
2007187349.tif 000008
【図７】
2007187349.tif 000009
【図８】
2007187349.tif 000010
【図９】
2007187349.tif 000011
【図１０】
2007187349.tif 000012
【図１１】
2007187349.tif 000013
【図１２】
2007187349.tif 000014
【図１３】
2007187349.tif 000015
【図１４】
2007187349.tif 000016